(57)【要約】【課題】距離感が把握し易いゴルフパターを提供する。【解決手段】本発明のゴルフパターは、管状のシャフト２０が、その先端開口部２０ａを閉塞されることなく、中空のヘッド１０に接合されることにより、両者の中空部２０ｂ，１５同士が互いに連通しているため、ゴルフボールを打った瞬間に手指に伝わる感触を、単にヘッド内部を中空構造としたものと比較して、より感じ取り易くすることができ、また、その際に発生する打撃音も相俟って、プレイヤーが適切な距離感を把握することが可能となる。【選択図】  図２
2005006998.tif 000002
【特許請求の範囲】
【請求項１】
管状のシャフトが、その先端開口部を閉塞されることなく、中空のヘッドに接合されることにより、両者の中空部同士が互いに連通していることを特徴とするゴルフパター。
【請求項２】
前記ヘッドの上面に、フェース面に対して直交する方向に延びる縦線部が表されていることを特徴とする請求項１に記載のゴルフパター。
【請求項３】
前記縦線部が、スウィートスポットを中心としてフェース面に沿った方向に等しい距離を有して表される２つの線部から構成されることを特徴とする請求項２に記載のゴルフパター。
【請求項４】
前記縦線部を構成する２つの線部の外縁間の幅がゴルフボールの直径と略同一であることを特徴とする請求項３に記載のゴルフパター。
【請求項５】
前記ヘッドの上面に、フェース面に沿った方向に延びる横線部が表されていることを特徴とする請求項１から４のいずれか１項に記載のゴルフパター。
【発明の詳細な説明】
【０００１】
【発明の属する技術分野】
本発明はゴルフパターに関するものである。
【０００２】
【従来の技術】
従来、スウィートエリアを広くすること等を目的として、ヘッド内部を中空構造としたゴルフパターが知られている（例えば、下記特許文献１参照）。
しかしながら、かかるゴルフパターを用いても、グリーン上に設けられたカップの位置にゴルフボールを正確にコントロールすることは概して困難である。
ゴルフボールを正確にコントロールするためには、第１に、プレイヤーがどの程度の力加減でゴルフボールを打てば、そのゴルフボールはどのくらいの距離を転がっていくかという距離感を把握することが重要である。この距離感は、実際にゴルフボールを打ち、その瞬間に手指に伝わる感触を感じ取り、またその際に発生する打撃音を覚えることで感覚的に身につけることができるが、従来のゴルフパターでは、シャフトが中空であっても、ヘッドとの接合部において、該シャフトの先端開口部が閉塞されているため、ゴルフボールを打った瞬間にヘッドからシャフトを介して手指に伝わる振動が小さく、そのため、その感触を感じ取り難かった。第２に、ゴルフボールを思い通りの方向に打つことが重要であるが、従来のゴルフパターでは、フェース面の向きやヘッドの軌道をプレイヤーがコントロールし難いものであった。
【０００３】
【特許文献１】特開２００２−２１００４９号公報
【０００４】
【発明が解決しようとする課題】
本発明は上記事情に鑑みなされたものであり、ゴルフボールを打った瞬間に手指に伝わる感触を感じ取り易く、距離感が把握し易いゴルフパターを提供することを課題とする。また、本発明は、ゴルフボールを思い通りの方向に容易に打つことができるゴルフパターを提供することを課題とする。
【０００５】
【課題を解決するための手段】
上記課題を解決するため、請求項１に記載の本発明では、管状のシャフトが、その先端開口部を閉塞されることなく、中空のヘッドに接合されることにより、両者の中空部同士が互いに連通していることを特徴とするゴルフパターを提供する。
請求項２に記載の本発明では、前記ヘッドの上面に、フェース面に対して直交する方向に延びる縦線部が表されていることを特徴とする請求項１に記載のゴルフパターを提供する。
請求項３に記載の本発明では、前記縦線部が、スウィートスポットを中心としてフェース面に沿った方向に等しい距離を有して表される２つの線部から構成されることを特徴とする請求項２に記載のゴルフパターを提供する。
請求項４に記載の本発明では、前記縦線部を構成する２つの線部の外縁間の幅がゴルフボールの直径と略同一であることを特徴とする請求項３に記載のゴルフパターを提供する。
請求項５に記載の本発明では、前記ヘッドの上面に、フェース面に沿った方向に延びる横線部が表されていることを特徴とする請求項１から４のいずれか１項に記載のゴルフパターを提供する。
【０００６】
【作用】
請求項１に記載の本発明によれば、管状のシャフトが、その先端開口部を閉塞されることなく、中空のヘッドに接合されることにより、両者の中空部同士が互いに連通しているため、ヘッドからシャフトを介してグリップに伝わる振動を大きくすることができる。従って、ゴルフボールを打った瞬間に手指に伝わる感触を、単にヘッド内部を中空構造としたものと比較して、より感じ取り易くすることができ、また、その際に発生する打撃音も相俟って、プレイヤーが適切な距離感を把握することが可能となる。
請求項２に記載の本発明によれば、前記ヘッドの上面に、フェース面に対して直交する方向に延びる縦線部が表されているため、その縦線部を目安として、縦線部が延びる方向に沿ってスイングすることで、スイングの度に生じるヘッドの軌道のずれを少なくすることができる。
請求項３に記載の本発明によれば、前記縦線部が、スウィートスポットを中心としてフェース面に沿った方向に等しい距離を有して表される２つの線部から構成されるため、その２つの線部を目安として、各線部が打球方向に対して平行となるようにスイングすることで、スイングの度に生じるヘッドの軌道のずれをより少なくすることができる。すなわち、ヘッドの上面に、フェース面に対して直交する方向に延びる線部を２つ表すことにより、インパクトの際に、縦線部が予定した打球方向に対して平行であることを視認し易くなるので、ヘッドの軌道のずれをより少なくすることが可能となる。
請求項４に記載の本発明によれば、前記縦線部を構成する２つの線部の外縁間の幅がゴルフボールの直径と略同一であるため、アドレスの際に、その２つの線部を目安として、各線部の外縁間にゴルフボールが位置するようにヘッドを置くことで、スウィートスポットの前方にゴルフボールを容易に位置させることが可能となる。
請求項５に記載の本発明によれば、前記ヘッドの上面に、フェース面に沿った方向に延びる横線部が表されているため、アドレスの際に、その横線部を目安として、フェース面の向きを調整することで、フェース面を予定した打球方向に対して直角に合わせることが容易となる。
【０００７】
【発明の実施の形態】
以下、本発明の実施の形態を図面に基づいて説明する。
図１は、本発明の一の実施の形態に係るゴルフパターの要部を示す平面図、図２は、図１のＡ−Ａ部断面図、図３は、図１のＢ−Ｂ部断面図、図４は、同実施形態に係るゴルフパターの要部を示す正面図である。これらの図に示したように、本実施形態に係るゴルフパターは、中空のヘッド１０と管状のシャフト２０とを有して構成される。
【０００８】
ヘッド１０の形状・大きさは、何等限定されるものではないが、上面１２の面積がグリーンに設けられるカップの面積の約半分を有する平面視で略半円形に形成されたものであることが好ましい。これにより、プレイヤーは、アドレスの際にヘッド１０を見ることで、カップの大きさを具体的にイメージすることが可能となる。
【０００９】
ヘッド１０の正面には、厚さの薄い金属板からなるフェース面１１が形成されている（図４参照）。また、ヘッド１０の上面１２、底面１３及び外周面１４を形成する部分は一体成形されており、ヘッド１０の内部には、これら各面１１〜１４に囲まれた中空部１５が形成されている（図２及び図３参照）。なお、底面１３を形成する部分の厚さを他の面１１，１２，１４を形成する部分の厚さよりも厚くするなどして、重心をより深いものとすることにより、スイングする際の振り子運動の慣性モーメントをより大きくすることができる。
【００１０】
ヘッド１０の上面１２には、フェース面１１に対して直交する方向に延びる２つの線部１６ａ，１６ｂから構成される縦線部１６と、フェース面１１に沿った方向に延びる横線部１７が表されている（図１参照）。本実施形態における縦線部１６と横線部１７は、ヘッド１０の上面１２に白色の塗料を塗布することにより表されているが、これに限定されるものではなく、例えば、ヘッド１０の上面１２に、縦線部１６と横線部１７をそれぞれ形成する凹部又は凸部を設けることにより、それらを表したものであっても良い。
【００１１】
また、縦線部１６は、少なくとも１つの線部から構成されていればよいが、図５に示したように、スウィートスポットＳを中心としてフェース面１１に沿った方向に等しい距離ｄ１，ｄ２を有して表される２つの線部１６ａ，１６ｂから構成されることが好ましい。さらに、このように２つの線部１６ａ，１６ｂから構成した場合には、各線部１６ａ，１６ｂの外縁間の幅Ｄがゴルフボールの直径と略同一であることが好ましい。
【００１２】
シャフト２０は、所定の長さを有し、後端部側には、プレイヤーが把持するためのグリップ（図示省略）が設けられる。このシャフト２０は、管状（中空のパイプ状）に形成されたものであり、先端がヘッド１０の上面１２に形成された孔部１８に挿通され、ヘッド１０内部に設けられる接合部材３０を介して、その先端部側にヘッド１０が接合される。シャフト２０にヘッド１０を接合する際には、図２に示したように、シャフト２０の先端開口部２０ａが閉塞されないようにすることが重要である。シャフト２０の先端開口部２０ａが閉塞されると、インパクトの際に発生する振動がグリップまで伝わり難くなるからである。この点、管状のシャフト２０が、その先端開口部２０ａを閉塞されることなく、中空のヘッド１０に接合されると、両者の中空部２０ｂ，１５同士が互いに連通するため、ヘッド１０からシャフト２０を介してグリップに伝わる振動を大きくすることができる。
【００１３】
本実施形態に係るゴルフパターによれば、上記したように、インパクトの際に発生する振動のグリップへの伝達性を高めることができるため、ゴルフボールを打った瞬間に手指に伝わる感触を、単にヘッド内部を中空構造としたものと比較して、より感じ取り易くすることができ、また、その際に発生する打撃音も相俟って、プレイヤーが適切な距離感を把握することが可能となる。
【００１４】
また、ヘッド１０の上面１２に表された縦線部１６を目安として、縦線部１６が延びる方向に沿ってスイングすることで、スイングの度に生じるヘッド１０の軌道のずれを少なくすることができるので、ゴルフボールを思い通りの方向に容易に打つことが可能となる。
【００１５】
また、縦線部１６が上記２つの線部１６ａ，１６ｂから構成されるため、インパクトの際に、１つ線部から構成されるものと比較して、縦線部１６（１６ａ，１６ｂ）が予定した打球方向に対して平行であることを視認し易くなるので、ヘッド１０の軌道のずれをより少なくすることが可能となる。
【００１６】
また、上記２つの線部１６ａ，１６ｂの外縁間の幅Ｄがゴルフボールの直径と略同一であるため、アドレスの際に、その２つの線部１６ａ，１６ｂを目安として、各線部１６ａ，１６ｂの外縁間にゴルフボールが位置するようにヘッド１０を置くことで、スウィートスポットＳの前方にゴルフボールを容易に位置させることができ、その結果、ゴルフボールをスウィートスポットＳで的確に打つことが可能となる。
【００１７】
さらに、ヘッド１０の上面１２に上記横線部１７が表されているため、その横線部１７を目安として、フェース面１１の向きを調整できる。従って、フェース面１１を予定した打球方向に対して直角に合わせることが容易である。
【００１８】
【発明の効果】
以上説明したように、本発明によれば、ゴルフボールを打った瞬間に手指に伝わる感触を感じ取り易く、距離感が把握し易いゴルフパターを提供することが可能となり、また、ゴルフボールを思い通りの方向に容易に打つことができるゴルフパターを提供することが可能となる。
【図面の簡単な説明】
【図１】図１は、本発明の一の実施の形態に係るゴルフパターの要部を示す平面図である。
【図２】図２は、図１のＡ−Ａ部断面図である。
【図３】図３は、図１のＢ−Ｂ部断面図である。
【図４】図４は、上記実施形態に係るゴルフパターの要部を示す正面図である。
【図５】図５は、上記実施形態に係るゴルフパターの構成を説明するための図である。
【符号の説明】
１０  ヘッド
１１  フェース面
１２  上面
１６  縦線部
１７  横線部
２０  シャフト
【図１】
2005006998.tif 000003
【図２】
2005006998.tif 000004
【図３】
2005006998.tif 000005
【図４】
2005006998.tif 000006
【図５】
2005006998.tif 000007